(57)【要約】【課題】不審者等が近寄ると移動体感知センサにより検知し、家庭用電源等からの配線等を不要とし、乾電池のみで駆動可能な防犯（防獣）ベルを備えた防犯（防獣）装置を提供する。【解決手段】防犯（防獣）装置１０は、防犯（防獣）ライト１２と、防犯（防獣）ベル１４と、単３乾電池３本よりなる直流電源部１６と、直流電源部１６に接続された移動体感知センサ部１８と、移動体感知センサ部１８に接続され移動体感知センサ部１８からの検出信号を受けて作動することで防犯（防獣）ライト１２及び／又は防犯（防獣）ベル１４に直流電源部１６からの電流を供給する切替スイッチ２０とを有することで、不審者等が近寄ると移動体感知センサ部１８により検知し、その検知信号がトリガとなって切替スイッチ２０を介して防犯（防獣）ベル１４に直流電源部１６からの電流が供給されることで、乾電池のみで防犯（防獣）ベル１４を鳴らすことが可能になる。【選択図】  図１
0003209919.tif 000002
【実用新案登録請求の範囲】
【請求項１】
住宅等の建造物に設置することができる防犯（防獣）装置において、防犯（防獣）ライトと、防犯（防獣）ベルと、単３乾電池２本乃至４本よりなる直流電源部と、前記直流電源部に接続された移動体感知センサ部と、前記移動体感知センサ部に接続され当該移動体感知センサ部からの検出信号を受けて作動することで前記防犯（防獣）ライト及び／又は防犯（防獣）ベルに前記直流電源部からの電流を供給する切替スイッチと、を有することを特徴とする防犯（防獣）装置。
【請求項２】
更に、前記防犯（防獣）ライト、防犯（防獣）ベル、直流電源部、及び移動体感知センサ部を収容する筐体を備え、該筐体の前記移動体感知センサ部には、雨滴、雪、雹がセンサにより検知されて誤作動することを防止するための誤作動防止フードを設けたことを特徴とする請求項１記載の防犯（防獣）装置。
【考案の詳細な説明】
【技術分野】
【０００１】
本考案は、住宅等の建造物に設置することができる防犯（防獣）装置に関し、特に、家庭用電源等からの配線等を不要とし、乾電池のみで駆動可能な防犯（防獣）ベルを備えた防犯（防獣）装置に関する。
【背景技術】
【０００２】
従来、他人の住宅の庭・駐車場等に侵入する不審者等を威嚇して防犯を行うための装置として、人感センサを備えた防犯装置が提案されており（例えば、特許文献１参照）。この特許文献１に記載の防犯装置では、不審者等が近寄ると人感センサにより検知し、ライトの光やスピーカの音により、その不審者等を威嚇するようにしている。
【先行技術文献】
【特許文献】
【０００３】
【特許文献１】特開平１１−３１２８６号公報
【考案の概要】
【考案が解決しようとする課題】
【０００４】
しかしながら、上記特許文献１に示される防犯装置では、電源として家庭用交流電源を用い、その家庭用交流電源からの配線を必要とするので、住宅地等のどこでも取り付け可能なものではなく、電源からの距離或いは屋内電源から屋外への配線経路等により取り付け場所が制約されていた。また、配線工事が大変であり専門の業者に依頼する必要等もあり、防犯装置を設置するコストがかさんでいた。
【０００５】
そこで、住宅等の建造物に設置することができる防犯装置について、比較的簡単且つ安価な構成でありながら不審者等が近寄ると移動体感知センサにより確実に検知し、特に、家庭用電源等からの配線等を不要とし、乾電池のみで駆動可能な防犯ベルを備え、そのベルの音により不審者等を威嚇すると共に住宅所有者や近所に警報を発することが可能な防犯装置の開発が望まれていた。また、専門の業者に依頼しなくても、電気関係の知識に弱い女性を含む個人でも、比較的簡単に家屋内外の任意の場所に設置できる防犯装置の開発がひそかに待たれていた。更に、近年、地方のみならず大都市の郊外にある住宅等において、その屋根裏等に、ネズミどころかアライグマ・ハクビシンが巣を作る事態が頻発しており、そのような害獣を退治できる防犯（防獣）装置の提案が待たれる。
【０００６】
本考案の目的は、上述した問題点を解消し、比較的簡単且つ安価な構成でありながら不審者等が近寄ると移動体感知センサにより確実に検知し、特に、家庭用電源等からの配線等を不要とし、乾電池のみで駆動可能な防犯ベルを備え、そのベルの音により不審者等を威嚇すると共に住宅所有者や近所に警報を発することが可能な防犯装置を提供することにある。また、家屋の屋根裏等に、ネズミ・アライグマ・ハクビシン等が巣を作るのを防止し、そのような害獣を家屋等から退治できる防犯（防獣）装置を提供することにある。
【課題を解決するための手段】
【０００７】
本考案者は、新規且つ有用な防犯装置の構造について鋭意研究を重ねた結果、それぞれ乾電池で駆動可能な移動体感知センサとベルを接続し両者を筐体に収納することで、移動体感知センサの検知照度や範囲を調節した上で、不審者等が近寄ると移動体感知センサにより確実に検知し、特に、家庭用電源等からの配線等を不要とし、乾電池のみで防犯ベルを有効に駆動することが可能なことを見出した。また、このようなベルを含む防犯（防獣）装置を家屋の屋根裏等に設置することにより、ネズミ・アライグマ・ハクビシン等の動きに感応してベルが鳴り、或いはライトが点灯することにより、かかる害獣が既に巣を作っていた場合でも、巣を廃棄して居なくなり有効に退治できることを見出した。
【０００８】
即ち、上記目的を達成するため、本考案の様相は、住宅等の建造物に設置することができる防犯（防獣）装置において、防犯（防獣）ライトと、防犯（防獣）ベルと、単３乾電池２本乃至４本よりなる直流電源部と、前記直流電源部に接続された移動体感知センサ部と、前記移動体感知センサ部に接続され当該センサ部からの検出信号を受けて作動することで前記防犯（防獣）ライト及び／又は防犯（防獣）ベルに前記直流電源部からの電流を供給する切替スイッチと、を有することを特徴とする。
【０００９】
更に、前記防犯（防獣）ライト、防犯（防獣）ベル、直流電源部、及び移動体感知センサ部を収容する筐体を備え、該筐体の前記移動体感知センサ部には、雨滴、雪、雹がセンサにより検知されて誤作動することを防止するための誤作動防止フードを設けるのが好適である。
【考案の効果】
【００１０】
本考案によれば、比較的簡単且つ安価な構成でありながら不審者等が近寄ると移動体感知センサにより確実に検知し、特に、家庭用電源等からの配線等を不要とし、乾電池のみで駆動可能な防犯（防獣）ベルを備え、そのベルの音により不審者等を威嚇すると共に住宅所有者や近所に警報を発することが可能な防犯（防獣）装置を提供することができる。また、このようなベルを含む防犯（防獣）装置を家屋の屋根裏等に設置することにより、ネズミ・アライグマ・ハクビシン等の動きに感応してベルが鳴り、或いはライトが点灯することにより、かかる害獣が既に巣を作っていた場合でも、巣を廃棄して居なくなり有効に退治できる。
【図面の簡単な説明】
【００１１】
【図１】本考案の実施形態に係る防犯（防獣）装置の基本構成を示す概念図である。
【図２】本考案の実施形態に係る防犯（防獣）装置の筐体を含む構成図であり、（ａ）はその正面構成図、（ｂ）はその裏面構成図、（ｃ）はその底面構成図である。
【図３】本考案の他の実施形態に係る防犯（防獣）装置の筐体を含む正面構成図であり、その筐体の移動体感知センサ部に誤作動防止フードを設けた例を示す。
【考案を実施するための形態】
【００１２】
本考案の実施形態に係る防犯（防獣）装置について、図１乃至図３を参照しつつ説明する。図１は、本考案の実施形態に係る防犯（防獣）装置の基本構成を示す概念図である。図１に示すように、本実施形態に係る防犯（防獣）装置１０は、防犯（防獣）ライト１２と、防犯（防獣）ベル１４と、単３乾電池３本よりなる直流電源部１６と、該直流電源部１６に接続された移動体感知センサ部１８と、移動体感知センサ部１８に接続され移動体感知センサ部１８からの検出信号を受けて作動することで防犯（防獣）ライト１２及び／又は防犯（防獣）ベル１４に直流電源部１６からの電流を供給する切替スイッチ２０とを有している。
ここで、本実施形態に係る防犯（防獣）装置１０では、移動体感知センサ部１８は単３乾電池３本よりなる直流電源部１６からの電力で動作し、また、この直流電源部１６からの電力は、配線１５内の電力供給線（図示せず）を介して防犯（防獣）ライト１２及び防犯（防獣）ベル１４に常時供給される状態になっており、切替スイッチ２０をＯＦＦにすると防犯（防獣）ライト１２及び防犯（防獣）ベル１４への供給が遮断されるようになる。また、移動体感知センサ部１８からの検出信号は、配線１５内の信号線（図示せず）を介して防犯（防獣）ライト１２及び防犯（防獣）ベル１４に常時供給される状態になっており、この信号の供給は切替スイッチ２０のＯＦＦによっても遮断されない。
移動体感知センサ部１８は、従来の防犯ライト等に設けられている人感センサ等と略同様の性能を有し、図示しないツマミ等を操作することで、その感知範囲・角度・動作照度等を調整できるようになっている。防犯（防獣）ライト１２は、従来の防犯ライト等と略同様の性能を有し、図示しないツマミ等を操作することで、その点灯又は点滅の選択ができるようになっている。防犯（防獣）ベル１４は、従来の一般的な防犯ベルとは相違する。即ち、旧来の卓上に置くタイプの目覚まし時計のベルに相当する「リィーン・・・・」というけたたましい音が連続して数十秒鳴る構成であり、これにより不審者等を威嚇することで、侵入等を思い止まらせる効果を奏するようになっている。尚、本実施形態では、金属の椀体から成るベル本体をモータにより駆動される打ち子（バネ）が連続的に叩く構成（旧来の卓上に置くタイプの目覚まし時計のベルに多い）としたが、これに限られないが、そのベル音は、不審者等を十分に威嚇することができるレベルであることが望ましい。
【００１３】
図２は、本考案の実施形態に係る防犯（防獣）装置の筐体を含む構成図であり、（ａ）はその正面構成図、（ｂ）はその裏面構成図、（ｃ）はその底面構成図である。図２に示すように、本実施形態に係る防犯（防獣）装置１０では、防犯（防獣）ライト１２、防犯（防獣）ベル１４、直流電源部１６、及び移動体感知センサ部１８を収容する筐体３０を備えている。筐体３０の材質は、プラスティック製・木製・アルミニウム等の金属製など任意の材質で良いが、屋外に設置し雨や雪の影響を受ける場合には、プラスティック製が望ましい。
そして、図２（ａ）に示すように、筐体３０の正面側に露出して防犯（防獣）ライト１２、移動体感知センサ部１８が設けられている。従って、移動体感知センサ部１８により不審者等を感知したいエリア側に筐体３０の正面側を向けて設置することにより、その移動体感知センサ部１８により感知した不審者等に向けて防犯（防獣）ライト１２により照射することで威嚇等することができる。また、図２（ｂ）に示すように、本実施形態に係る防犯（防獣）装置１０では、筐体３０の裏面側に切欠きを介して見えるように、防犯（防獣）ベル１４が設けられている。切欠きを介して設けたのは、防犯（防獣）ベル１４の音が筐体３０内に籠らずに良く響き渡るようにするためである。更に、図２（ｃ）に示すように、筐体３０の底面側に切欠きを介して見えるように、単３乾電池３本から成る直流電源部１６が設けられている。切欠きを介して設けたのは、電池切れ等の場合に直流電源部１６の単３乾電池（３本）の交換を容易にするためである。
【００１４】
ここで、本考案の実施形態に係る防犯（防獣）装置１０の使用方法を述べる。まず、本実施形態の防犯（防獣）装置１０を住宅等の建造物に設置するには、移動体感知センサ部１８の感知範囲・角度等を考慮して、家屋内外の適所に設置する。また、夜間の防犯（防獣）に限定し、昼間に不本意にベルが鳴る等の事態を避けたいなら、移動体感知センサ部１８のツマミを操作して動作照度等を調整した上で設置する。設置するには、例えば、筐体３０の一部に両面テープを貼る、ネジ等で柱等に固定、ひも等で柱等に固定するなど任意の方法を用いて良い。尚、その場合、切替スイッチ２０は、手の届く高さ等になるように設置するのが望ましい。また、住宅等の屋根裏等に、ネズミ・アライグマ・ハクビシン等の害獣が住みつく（巣を作る）事態を防止し、或いは退治するために設置する場合には、住宅等の屋根裏等における梁等に任意の方法で固定すれば良い。
【００１５】
図３は、本考案の他の実施形態に係る防犯（防獣）装置の筐体を含む正面構成図であり、その筐体３０の移動体感知センサ部１８に誤作動防止フード４０を設けた例を示す。即ち、本考案の他の実施形態に係る防犯（防獣）装置１００では、防犯（防獣）ライト１２、防犯（防獣）ベル１４、直流電源部１６、及び移動体感知センサ部１８を収容する筐体３０を備え、筐体３０の移動体感知センサ部１８には、雨滴、雪、雹がセンサにより検知されて誤作動することを防止するための誤作動防止フード４０が設けられている。これにより、仮に、防犯（防獣）装置１００を屋外に設置した場合でも、筐体３０に設けられた誤作動防止フード４０により移動体感知センサ部１８に雨滴、雪、雹が落下し、付着することで誤作動するのを防止可能である。
【００１６】
以上に述べたように、本考案によれば、比較的簡単且つ安価な構成でありながら不審者等が近寄ると移動体感知センサにより確実に検知し、特に、家庭用電源等からの配線等を不要とし、乾電池のみで駆動可能な防犯（防獣）ベルを備え、そのベルの音により不審者等を威嚇すると共に住宅所有者や近所に警報を発することが可能な防犯（防獣）装置を提供することができる。また、このようなベルを含む防犯（防獣）装置を家屋の屋根裏等に設置することにより、ネズミ・アライグマ・ハクビシン等の動きに感応してベルが鳴り、或いはライトが点灯することにより、かかる害獣が既に巣を作っていた場合でも、巣を廃棄して居なくなり有効に退治できる。
【産業上の利用可能性】
【００１７】
以上に述べた実施形態では、筐体内に防犯（防獣）ライト、防犯（防獣）ベル、直流電源部及び移動体感知センサ部を収容するタイプの防犯（防獣）装置に適用したが、本考案は、実用新案登録請求の範囲の記載の範囲内で、その他の用途或いは態様にも広く適用することができる。
【符号の説明】
【００１８】
１０，  １００  防犯（防獣）装置、  １２  防犯（防獣）ライト、
１４  防犯（防獣）ベル、  １５  配線、  １６  直流電源部、
１８  移動体感知センサ部、２０  切替スイッチ、  ３０  筐体、
４０  誤作動防止フード
【図１】
0003209919.tif 000003
【図２】
0003209919.tif 000004
【図３】
0003209919.tif 000005